(57)【要約】      （修正有）【課題】カバンの置台となる折り畳み式バッグトレーを提供する。【解決手段】開いた状態において矩形であって、折り畳み可能な柔らかな素材からなる底部２と、前記底部の周縁から上方に立設されてなる壁部３とを備え、前記壁部の上端面は、開放されてなり、前記壁部は、一の長辺部３ａ１、３ａ２及び２つの短辺部の中央部に内向きに折り曲げ可能な折り目５ａ１、５ｂ１を有すると共に、他の長辺部の中央部に外向きに折り曲げ可能な折り目５ａ２を有することにより、バッグの底面と床との接触を防ぎ、バッグの底面への汚れの付着を防止して、バッグの外面の清潔な状態を保つことができる。【選択図】図１
0003224315.tif 000002
【実用新案登録請求の範囲】
【請求項１】
開いた状態において矩形であって、折り畳み可能な柔らかな素材からなる底部と、
前記底部の周縁から上方に立設されてなる壁部と、を備え
前記壁部の上端面は、開放されてなり、
前記壁部は、一の長辺部及び２つの短辺部の中央部に内向きに折り曲げ可能な折り目を有すると共に、他の長辺部の中央部に外向きに折り曲げ可能な折り目を有する
ことを特徴とする折り畳み式バッグトレー。
【請求項２】
請求項１に記載の折り畳み式バッグトレーを、折り畳まれた状態で収納できる袋を有することを特徴とする収納袋。
【考案の詳細な説明】
【技術分野】
【０００１】
この考案は、カバンの置台となる折り畳み式バッグトレーに関する。
【背景技術】
【０００２】
背景技術として、バッグの底面が床に接触することを防止することを目的として、バッグの底面に底鋲が設けられことがある。
【先行技術文献】
【特許文献】
【０００３】
【特許文献１】実登第３０３３４５８号公報
【考案の概要】
【考案が解決しようとする課題】
【０００４】
しかしながら、床面が雨で濡れていたり、僅かな空気の流れで舞い上がりやすい細かな粉塵があるような床面に対しては、底鋲だけでは、バッグが汚れてしまうことを防止することは困難であった。
【課題を解決するための手段】
【０００５】
上記課題を解決するための手段として本考案に係る折り畳み式バッグトレーは、開いた状態において矩形であって、折り畳み可能な柔らかな素材からなる底部と、前記底部の周縁から上方に立設されてなる壁部と、を備え、前記壁部の上端面は、開放されてなり、前記壁部は、一の長辺部及び２つの短辺部の中央部に内向きに折り曲げ可能な折り目を有すると共に、他の長辺部の中央部に外向きに折り曲げ可能な折り目を有することを特徴とする。
【０００６】
各壁部は、本考案が開いた状態で床面に載置された際に、壁部が自立できるよう固めの板からなることが好ましい。壁部が自立できることによって、本考案の解放された上端面からバッグを確実に入れることができるため、バッグが本考案の外にはずれて床面に接触してしまうおそれを低減することができる。
【０００７】
さらに、前記折り畳み式バッグトレーを折り畳まれた状態で収納できる袋を有する収納袋を備えるものであっても好ましい。
【０００８】
前記収納袋を用いることにより、本考案に係る折り畳み式バッグトレーを鞄等に収納した際に、前記折り畳み式バッグトレーの持ち運びを容易にする。
【考案の効果】
【０００９】
本考案によれば、不要なときは折り畳んでバッグ等に収納して持ち運びができると共に、バッグを床面等に置かなければならないときには素早く開いてバッグの下に敷くことで、バッグの底面と床との接触を防ぎ、バッグの底面への汚れの付着を防止して、バッグの外面の清潔な状態を保つことができる。
【図面の簡単な説明】
【００１０】
【図１】バッグトレー１を開いた状態を示す斜視図である。
【図２】開いた状態のバッグトレー１の平面図である。
【図３】開いた状態のバッグトレー１のＡ−Ａ断面図である。
【図４】バッグトレー１にバッグＢを載せて使用している状態を示す斜視図である。
【図５】バッグトレー１を折り畳む途中状態を示す図である。
【図６】バッグトレー１を折り畳んだ状態を示す斜視図である。
【図７】バッグトレー１を収納袋６の収容する様子を示す図である。
【考案を実施するための形態】
【００１１】
以下、本考案に係る実施の形態を、図を参照しながら詳しく説明する。なお、本明細書及び図面において、実質的に同一の機能構成を有する構成要素については、同一の符号を付することにより重複説明を省略する。
【００１２】
図１は、本考案に係る折り畳み式のバッグトレー１を開いた状態の斜視図である。バッグトレー１は、開いた状態において、図２の平面図に示すように、矩形であって、折り畳み可能な柔らかな素材からなる底部２を備える。図１の斜視図及び図３の断面図に示すように、底部２の周縁には、上方に立設されてなる壁部３が形成されてなり、壁部３の上端面は、開放されてなり、当該解放部分からバッグ４を開いた状態のバッグトレー１に挿し入れて収容することができる。
【００１３】
バッグトレー１を使用する際には、まずバッグ４を載置しておきたい位置の床面にあらかじめ開いた状態のバッグトレー１を置き、バッグ４をバッグトレー１に挿し入れて乗せることで、バッグ４の底面と床との接触を防ぎ、バッグ４の底面への汚れの付着を防止して、バッグ４の外面の清潔な状態を保つことができる。
【００１４】
本実施の形態に係るバッグトレー１は、壁部３は平面視で長方形の底部２の周縁に沿って、長辺部３ａ１，３ａ２及び短辺部３ｂ１，３ｂ２とから形成されてなる。一の長辺部３ａ１、及び２つの短辺部３ｂ１，３ｂ２の中央部には、内向きに折り曲げ可能な内向き折り目５ａ１、５ｂ１、５ｂ２を有すると共に、他の長辺部３ａ２の中央部には外向きに折り曲げ可能な外向き折り目５ａ２を有する。
【００１５】
バッグトレー１を折り畳む際には、内向き折り目５ｂ１，５ｂ２を内向きに折って、底部２を縮径させながらバッグトレー１を図５に示すように中心部に内向き折り目５ａ１及び外向き折り目５ａ２を有する長方形状形態に変形せしめる。尚且つ、内向き折り目５ａ１を内向きに折ると共に外向き折り目５ａ２を外向きに折り込むことで、図６に示すように、片手で厚み方向に摘まみ上げることができる程度の短冊状の形態に変形させることができる。
【００１６】
なお、底部２に折り目２ａを付しておくことで、折り畳み時において底部２に乱雑な折り目が付くことを防止することができ、繰り返しの使用に対してもバッグトレー１の開いた状態を一定に保つことができると共に、見た目にも美しい状態を保つことができる。
【００１７】
さらに、折り畳まれた状態のバッグトレー１は、使用する際には外向きに折られた長辺部３ａ２の両端を外方に拡開することで、内向きに折られた一の長辺部３ａ１、及び２つの短辺部３ｂ１，３ｂ２を同時に拡開させて素早く開いた状態とすることができる。
【００１８】
折りたたんだ状態のバッグトレー１は、図７に示すように収納袋６に収納することで、折り畳まれた壁部３が、弾性的に拡開することを防止してコンパクトな状態を維持しながら、バッグ４内に収容することができる。また収納袋６は、使用時に床などからバッグトレー１に付着した粉塵の拡散によりバッグ４内部が汚れることを防止することができる。
【００１９】
従って、バッグトレー１と収納袋６とを併用することによって、バッグ４の外面及び内面のいずれも汚すことないため、バッグ４を汚さずに長期にわたって使用することができる。
【符号の説明】
【００２０】
１  バッグトレー
２  底部
３  壁部
４  バッグ
５ａ１  内向き折り目
５ａ２  外向き折り目
５ｂ１  内向き折り目
５ｂ２  内向き折り目
６  収納袋
【図１】
0003224315.tif 000003
【図２】
0003224315.tif 000004
【図３】
0003224315.tif 000005
【図４】
0003224315.tif 000006
【図５】
0003224315.tif 000007
【図６】
0003224315.tif 000008
【図７】
0003224315.tif 000009
【手続補正書】
【提出日】令和1年10月9日(2019.10.9)
【手続補正１】
【補正対象書類名】実用新案登録請求の範囲
【補正対象項目名】請求項２
【補正方法】変更
【補正の内容】
【請求項２】
請求項１に記載の折り畳み式バッグトレーを、折り畳まれた状態で収納できることを特徴とする収納袋。
【手続補正２】
【補正対象書類名】明細書
【補正対象項目名】０００７
【補正方法】変更
【補正の内容】
【０００７】
さらに、前記折り畳み式バッグトレーを折り畳まれた状態で収納できる収納袋を備えるものであっても好ましい。